(57)【要約】【課題】  外部との導通や水分の侵入に起因する特性の劣化が生じにくい蓄電デバイスを提供する。【解決手段】  蓄電デバイス１は、電極積層体１０と、金属層３１１、３２１及び内側樹脂層３１２、３２２を含み、電極積層体１０を包む外装体３０と、を備え、外装体３０は、縁辺部３４で内側樹脂層３１２、３２２同士が融着された融着部３３を含み、蓄電デバイス１は、融着部３３の端部３３１を覆う樹脂被覆部４０と、樹脂被覆部４０を挟む一対の補強部５１、５２と、をさらに備えており、樹脂被覆部４０は、外装体３０から露出する金属層３１１、３２１の端面及び内側樹脂層３１２、３２２の端面を覆っている。【選択図】  図１
2019145709.tif 000002
【特許請求の範囲】
【請求項１】
発電要素と、
金属層及び前記金属層の内側に積層された内側樹脂層を含み、前記発電要素を包む外装体と、を備えた蓄電デバイスであって、
前記外装体は、前記外装体の縁辺部で前記内側樹脂層同士が融着された融着部を含み、
前記蓄電デバイスは、
前記融着部の端部を覆う樹脂被覆部と、
前記樹脂被覆部を挟む一対の補強部と、をさらに備えており、
前記樹脂被覆部は、前記外装体から露出する前記金属層の端面及び前記内側樹脂層の端面を覆っている蓄電デバイス。
【請求項２】
請求項１に記載の蓄電デバイスであって、
前記樹脂被覆部を構成する材料は、ブチルゴムである蓄電デバイス。
【請求項３】
請求項１又は２に記載の蓄電デバイスであって、
前記補強部を構成する材料は、前記樹脂被覆部を構成する材料よりも硬い材料である蓄電デバイス。
【請求項４】
請求項１〜３のいずれか一項に記載の蓄電デバイスの製造方法であって、
前記発電要素を、前記外装体で包み、前記外装体の縁辺部で前記内側樹脂層同士を融着して、前記融着部を形成する工程と、
前記融着部の端部を樹脂で被覆する工程と、
前記樹脂被覆部を前記一対の補強部で挟む工程と、を備えた蓄電デバイスの製造方法。
【請求項５】
請求項１〜３のいずれか一項に記載の蓄電デバイスの製造方法であって、
前記発電要素を、前記外装体で包み、前記外装体の縁辺部で前記内側樹脂層同士を融着して、前記融着部を形成する工程と、
前記一対の補強部のそれぞれに樹脂を塗布する工程と、
前記樹脂を介して、前記一対の補強部で、前記融着部の端部を挟む工程と、を備えた蓄電デバイスの製造方法。
【請求項６】
請求項４又は５に記載の蓄電デバイスの製造方法であって、
前記樹脂被覆部を形成した後に、前記樹脂被覆部において少なくとも前記内側樹脂層の端面に対向する部分を加熱する工程を備えた蓄電デバイスの製造方法。
【発明の詳細な説明】
【技術分野】
【０００１】
本発明は、蓄電デバイス及びその製造方法に関するものである。
【背景技術】
【０００２】
従来から、金属層（例えばアルミニウム）と高分子材料層とが積層した複合ラミネートフィルムからなる電池外装と、電池外装に収容され、正極と負極とがセパレータを介して交互に積層されてなる発電部と、電解液と、電池外装の相異なる一辺側からそれぞれ突出する正極端子電極及び負極端子電極と、を有する電池が知られている（例えば特許文献１参照）。
【先行技術文献】
【特許文献】
【０００３】
【特許文献１】特開２００３−１８７８５７号公報
【発明の概要】
【発明が解決しようとする課題】
【０００４】
しかしながら、上記の電池では、電池外装の外周縁が単に切断されているため、電池外装を構成する金属層及び高分子材料層の端面が外部に露出した状態となっている。
【０００５】
この電池では、上述の発電部及び端子電極のエッジ部や、発電部及び端子電極の溶接部分のバリが、電池外装の内側の高分子材料層を貫通し、当該電池外装の金属層と接触した場合、電池の絶縁性が損なわれて、発電部及び端子電極が電池外装の金属層を通じて電池の外部と電気的に導通してしまい、漏電等の懸念が生じる。
【０００６】
また、電池外装の内側の高分子材料層の端面が外部に露出しているため、当該端面を通して、電池の内部に水分が侵入（透湿）し、電池の内部の電解液等が劣化してしまう。
【０００７】
本発明が解決しようとする課題は、外部との導通に起因する漏電等や水分の侵入に起因する電解液等の劣化を防止することができる蓄電デバイスを提供することである。
【課題を解決するための手段】
【０００８】
［１］本発明に係る蓄電デバイスは、発電要素と、金属層及び前記金属層の内側に積層された内側樹脂層を含み、前記発電要素を包む外装体と、を備えた蓄電デバイスであって、前記外装体は、前記外装体の縁辺部で前記内側樹脂層同士が融着された融着部を含み、前記蓄電デバイスは、前記融着部の端部を覆う樹脂被覆部と、前記樹脂被覆部を挟む一対の補強部と、をさらに備えており、前記樹脂被覆部は、前記外装体から露出する前記金属層の端面及び前記内側樹脂層の端面を覆っている蓄電デバイスである。
【０００９】
［２］上記発明において、前記樹脂被覆部を構成する材料は、ブチルゴムであってもよい。
【００１０】
［３］上記発明において、前記補強部を構成する材料は、前記樹脂被覆部を構成する材料よりも硬い材料であってもよい。
【００１１】
［４］本発明に係る蓄電デバイスの製造方法は、前記発電要素を、前記外装体で包み、前記外装体の縁辺部で前記内側樹脂層同士を融着して、前記融着部を形成する工程と、前記融着部の端部を樹脂で被覆する工程と、前記樹脂被覆部を前記一対の補強部で挟む工程と、を備えた蓄電デバイスの製造方法である。
【００１２】
［５］本発明に係る蓄電デバイスの製造方法は、前記発電要素を、前記外装体で包み、前記外装体の縁辺部で前記内側樹脂層同士を融着して、前記融着部を形成する工程と、前記一対の補強部のそれぞれに樹脂を塗布する工程と、前記樹脂を介して、前記一対の補強部で、前記融着部の端部を挟む工程と、を備えた蓄電デバイスの製造方法である。
【００１３】
［６］上記発明において、前記樹脂被覆部を形成した後に、前記樹脂被覆部において少なくとも前記内側樹脂層の端面に対向する部分を加熱する工程を備えていてもよい。
【発明の効果】
【００１４】
本発明によれば、外装体から露出する金属層の端面及び内側樹脂層の端面を樹脂被覆部により覆っているため、蓄電デバイスの外部との絶縁性を保つことができるうえに、内部への水分の侵入を抑制することができる。その結果、蓄電デバイスにおける漏電等の発生、電解液等の劣化を防止することができる。
【００１５】
さらに、補強部により外装体の強度を高めることで、外装体の折れを防ぐことができる。さらに、タック性を有する樹脂被覆部の表面を補強部により覆うことで、蓄電デバイスを製造する際や蓄電デバイスを製品に組み込む際の作業性を向上させることができる。
【図面の簡単な説明】
【００１６】
【図１】図１は、本発明の実施形態における蓄電デバイスを示す平面図である。
【図２】図２は、図１のII-II線に沿う断面図である。
【図３】図３は、本発明の実施形態における正極端子及び負極端子の導出位置の変形例を示す平面図である。
【図４】図４は、本発明の実施形態における樹脂被覆部の近傍の拡大断面図である。
【図５】図５は、本発明の実施形態におけるフレーム材の変形例を示す拡大断面図である。
【発明を実施するための形態】
【００１７】
まず、蓄電デバイスの実施形態を図面に基づいて説明する。図１は、本発明の実施形態に係る蓄電デバイス１を示す平面図であり、図２は、図１のII-II線に沿う断面図である。本実施形態の蓄電デバイス１は、リチウムイオンキャパシタ、リチウムイオン二次電池、電気二重層コンデンサなど、電気化学的な充放電が可能な蓄電デバイスが適用できるが、以下においてはリチウムイオンキャパシタを例に本実施形態を説明する。
【００１８】
蓄電デバイス１（以下では、リチウムイオンキャパシタ１とも呼称することがある）は、電極積層体１０と、リチウム塩を含む電解液２０とが、外装体３０内に封止された扁平型蓄電デバイスである。さらに、蓄電デバイス１は、外装体３０の端部に樹脂被覆部４０と、フレーム材５０と、を備えている。本実施形態における「電極積層体１０」は、本発明における「発電要素」の一例に相当し、本実施形態における「外装体３０」は、本発明における「外装体」の一例に相当し、本実施形態における「樹脂被覆部４０」は、本発明における「樹脂被覆部」に相当する。
【００１９】
電極積層体１０は、図２に示すように、アニオンまたはカチオンを吸着して電気二重層を形成可能な正極層１１１が正極集電体１１２に設けられた正極部１１と、リチウムイオンを吸蔵および放出する負極層１２１が負極集電体１２２に設けられた負極部１２と、正極部１１と負極部１２との間に設けられたセパレータ１３とが一対となり、これが一対又は複数対積層されたものである。図２に示す実施形態では、正極部１１と負極部１２とセパレータ１３とが３対設けられた電極積層体１０を例示する。
【００２０】
図１に戻って、正極集電体１１２からは、正極リード部１１３が導出されている。正極集電体１１２は、例えば、アルミニウムやステンレス等の導電性金属材料からなる金属箔等で構成されている。正極リード部１１３は、帯状の薄板であり、上述の正極集電体１１２と同様の材料から構成されている。この正極リード部１１３は、他の正極部１１と導通させて正極端子１１４に集約させる部材であり、正極集電体１１２の一方の短辺から導出され、当該正極リード部１１３の先端は、他の正極集電体１１２の正極リード部１１３と共に正極端子１１４に接合されている。なお、図２における正極リード部１１３は、断面図の切断線の位置関係から図示されていない。
【００２１】
正極層１１１は、正極集電体１１２の両面に設けられている。なお、電極積層体１０の最上段又は最下段に位置する正極部１１については（図２に示す例では最上段に位置する正極部１１については）、正極集電体１１２の内側面のみに正極層１１１を設けてもよい。正極層１１１は、例えば、活性炭やグラフェンなどの正極活物質、カーボンブラックなどの導電助剤、スチレンブタジエンゴムやアクリル系ポリマーなどのバインダ、カルボキシルメチルセルロースなどの分散剤を溶媒中に分散させた塗料を用いて形成することができる。そして、塗料を正極集電体１１２の少なくとも一方の主面に塗布し、これを乾燥させることで正極層１１１が形成される。更には、乾燥させたのち、正極層１１１の膜厚を均一にするためのプレス加工を施してもよい。
【００２２】
負極部１２は、図１及び図２に示すように、負極層１２１と負極集電体１２２とを有し、負極集電体１２２の一部から負極リード部１２３が導出されている。負極集電体１２２は、たとえば銅やアルミニウム、ステンレス等の導電性金属材料からなる金属箔等で構成されている。負極リード部１２３は、帯状の薄板であり、上述の負極集電体１２２と同様の材料から構成されている。この負極リード部１２３は、他の負極部１２と導通させて負極端子１２４に集約させる部材であり、負極集電体１２２の一方の短辺から導出され、当該負極リード部１２３の先端は、他の負極集電体１２２の負極リード部１２３と共に負極端子１２４に接合されている。
【００２３】
負極層１２１は、負極集電体１２２の両面に設けられている。なお、最上段又は最下段に位置する負極部１２については（図２に示す例では最下段に位置する負極部１２については）、負極集電体１２２の内側面のみに負極層１２１を設けてもよい。負極層１２１は、例えば、黒鉛やハードカーボン、ソフトカーボンなどの負極活物質、カーボンブラックなどの導電助剤、スチレンブタジエンゴム、アクリル系ポリマー、ポリイミドなどのバインダ、カルボキシルメチルセルロースなどの分散剤を溶媒中に分散させた塗料を用いて形成することができる。そして、塗料を負極集電体１２２の少なくとも一方の主面に塗布し、これを乾燥させることで負極層１２１が形成される。更には、乾燥させたのち、負極層１２１の膜厚を均一にするためのプレス加工を施してもよい。負極活物質としては、リチウムイオンを可逆的に担持可能であれば、上記の炭素系材料に特に限定されず、例えば、珪素、珪素酸化物、チタン酸リチウムなどであってもよい。なお、完成後のリチウムイオンキャパシタ１の充放電時に負極部１２の端面にリチウムが析出するのを抑制するために、図２に示すように、負極部１２の面積は、正極部１１の面積よりも大きく設定されている。これにより、リチウムイオンは負極層１２１の主面にて吸蔵することができ、負極層１２１の端面にリチウムが析出するのを抑制することができる。
【００２４】
セパレータ１３は、電解液２０、正極活物質及び負極活物質等に対して耐久性があり、連通孔を有する一方で電子導電性は有しない多孔質体から構成されている。このセパレータ１３は、たとえばセルロース、ポリプロピレン、ポリエチレン等からなる不織布や微多孔膜から構成されている。セパレータ１３には電解液が含浸されている。なお、電極積層体１０の内部における正極部１１と負極部１２との短絡を防止するために、図２に示すように、セパレータ１３の面積は、正極部１１の面積及び負極部１２の面積よりも大きく設定されている。
【００２５】
さらに、本実施形態における電極積層体１０は、リチウム極１４を備えている。このリチウム極１４は、最下段の負極部１２の更に下にセパレータ１３を介して積層されており、負極部１２に対してリチウムイオンを供給するリチウム供給源として機能する。このリチウム極１４は、リチウム極集電体１４１とリチウム層１４４を備えており、リチウム極集電体１４１は、本体部１４２とリード部１４３を有している。本体部１４２は、上述の正極集電体１１２と同じサイズの矩形状の薄板であり、例えば、銅やステンレス等の金属材料から構成されている。
【００２６】
リチウム層１４４は、リチウム極集電体１４１の本体部１４２の表面に圧着された金属箔である。このリチウム層１４４は、少なくともリチウムを含有し、リチウムイオンを供給することが可能な材料から構成されている。このリチウム層１４４を構成する具体的な材料としては、例えば、リチウムやリチウム−アルミニウム合金等を例示することができる。
【００２７】
本実施形態では、リチウム極集電体１４１のリード部１４３が負極端子１２４に接続されており、負極層１２１の負極活物質にリチウムイオンを担持させることが可能となっている。リチウムイオンを負極にスムーズに担持させるために、リチウム極１４を負極部１２に対向するように配置することが好ましい。
【００２８】
なお、リチウム極は、図２に示す形態に限定されない。例えば、特に図示しないが、（１）最上段の正極部の上に負極部をさらに設け、当該負極部の上にリチウム極を配置した形態や、（２）電極積層体の中央領域の２つの負極部の間にリチウム極を介在させた形態、（３）最上段の正極部の上にリチウム極を配置した形態、等としてもよい。
【００２９】
電解液２０は、たとえばリチウム塩の非プロトン性有機溶媒電解質溶液を例示することができる。リチウム塩としては、特に限定されないが、例えば、ヘキサフルオロリン酸リチウムＬｉＰＦ６、テトラフルオロホウ酸リチウムＬｉＢＦ４、過塩素酸リチウムＬｉＣｌＯ４、リチウムビス（フルオロスルホニル）イミドＬｉＦＳＩ、リチウムビス（トリフルオロメタンスルホニル）イミドＬｉＴＦＳＩを用いることができる。また、非プロトン性有機溶媒としては、例えば、エチレンカーボネート、プロピレンカーボネート、ジメチルカーボネート、ジエチルカーボネート、エチルメチルカーボネートなどを用いることができる。なお、これら非プロトン性有機溶媒の二種以上を混合した混合液を用いてもよい。
【００３０】
なお、発電要素及び電解液は、上記の実施形態に限定されない。蓄電デバイス１としては、リチウムイオンキャパシタ、リチウムイオン二次電池、電気二重層コンデンサなどを用いることができるので、蓄電デバイス１の種類に応じて、発電要素及び電解液を適宜選択すればよい。その他にも、蓄電デバイス１が、例えば、全固体電池などである場合には、正極層１１１と負極層１２１の間に、セパレータ１３に代えて固体電解質を配設してもよいし、この場合、電解液は含まれていなくてもよい。
【００３１】
外装体３０は、電極積層体１０の上部を収容する凹部が形成された上部外装部材３１と、電極積層体１０の下部を収容する凹部が形成された下部外装部材３２とが合わせられてなり、縁辺部３４が融着された融着部３３を含んでいる。本実施形態における「融着部３３」が、本発明における「融着部」の一例に相当し、本実施形態における「縁辺部３４」が、本発明における「縁辺部」の一例に相当する。なお、正極端子１１４及び負極端子１２４は、上部外装部材３１と下部外装部材３２との合わせ面から導出されている。なお、外装体３０は、凹部が形成された上部外装部材３１、凹部が形成された下部外装部材３２を合わせた構成に限定されない。例えば電極積層体１０の全体を収容可能な凹部が形成された上部外装部材と、凹部が形成されていない平らな下部外装部材とが合わせられた構成であってもよい。
【００３２】
上部外装部材３１及び下部外装部材３２は、屈曲可能な程度の可撓性を有するラミネートフィルム等からなり、例えば、金属層３１１、３２１と、当該金属層３１１、３２１の内側の主面に積層された内側樹脂層３１２、３２２と、金属層３１１、３２１の外側の主面に積層された外側樹脂層３１３、３２３を備えた３層構造を有している。そして、内側樹脂層３１２と内側樹脂層３２２の合わせ面が融着している。なお、本実施形態における「金属層３１１、３２１」が、本発明における「金属層」の一例に相当し、本実施形態における「内側樹脂層３１２、３２２」が、本発明における「内側樹脂層」の一例に相当する。
【００３３】
金属層３１１は、例えば、アルミニウム箔等から構成されている。また、内側樹脂層３１２は、例えば、耐電解液性及び熱融着性に優れた樹脂材料から構成されている。一方、外側樹脂層３１３は、例えば、電気絶縁性に優れた樹脂材料から構成されている。本実施形態において、３層構造のラミネートフィルムを例示しているが、これに限定されず、ラミネートフィルムは４層以上の層から構成されていてもよい。
【００３４】
なお、本実施形態の上部外装部材３１と下部外装部材３２は、略同一の矩形であり、外装体３０の形状も矩形となっているが、これに限定されず、外装体３０の形状は、蓄電デバイス１の用途に応じて自由に設定される。
【００３５】
また、本実施形態では、２枚のラミネートフィルム（上部外装部材３１及び下部外装部材３２）を、重ね合わせて融着した場合を説明したが、これに限定されない。例えば、１枚のラミネートフィルムを２つ折りして、電極積層体１０を上下方向から包み、折り返し部を除く他の三辺を熱融着させることで、電極積層体１０を封止する外装体３０を形成することもできる。
【００３６】
さらに、本実施形態では、正極端子１１４及び負極端子１２４は、外装体３０の一辺から導出されている。しかし、正極端子１１４及び負極端子１２４の導出位置はこれに限定されることはない。図３は、正極端子及び負極端子の導出位置の変形例を示す平面図である。例えば、図３に示すように、矩形の外装体３０の対向する一対の辺のそれぞれから、正極端子１１４及び負極端子１２４が導出されていてもよい。この場合、正極リード１１３が導出される電極積層体１０の一面と、負極リード部１２３が導出される電極積層体１０の他面とが、互いに反対側に位置する。
【００３７】
図４は、本実施形態における樹脂被覆部４０の近傍の拡大断面図である。樹脂被覆部４０は、融着部３３の端部３３１を覆っている。本実施形態において、端部３３１は、端面３３２と、当該端面３３２から内側に所定距離離れた位置までの融着部３３の上下面３３３、３３４とを含んでおり、当該外装体３０の端面３３２は、外装体３０から露出する金属層３１１、３２１の端面と、内側樹脂層３１２、３２２の端面と、外側樹脂層３１３、３２３の端面とから構成されている。そして、端面３３２と、上面３３３と、下面３３４と、が樹脂被覆部４０により覆われている。
【００３８】
また、樹脂被覆部４０の正極端子１１４及び負極端子１２４に対応する位置にはスリットなどの貫通孔が設けられており、これにより、正極端子１１４及び負極端子１２４は、樹脂被覆部４０から外部に貫通している。
【００３９】
樹脂被覆部４０を構成する材料は、ブチルゴムであることが好ましい。ブチルゴムは、絶縁性であるうえに、水分の透過性（透湿性）が低いため、蓄電デバイスの外部との絶縁性をより向上できるうえに、内部への水分の侵入をより抑制することができる。その結果、蓄電デバイスの特性の劣化をより抑制することができる。
【００４０】
本実施形態において、樹脂被覆部４０は、図１の平面図に示すように、融着部３３の全周（四辺）を覆っているが、これに限定されない。例えば、上述のように、外装体３０を、１枚のラミネートフィルムを折り返して形成した場合、折り返し部分において、ラミネートフィルムを構成する各層の端面は露出しない。一方、他の三辺においては各層の端面が露出する。このような場合には、各層の端面が露出する他の三辺のみを樹脂被覆部４０で被覆すればよい。
【００４１】
フレーム材５０は、図２及び図４に示すように第１の補強部５１と第２の補強部５２とを含んでいる。第１の補強部５１は、外装体３０の縁辺部３４に沿った枠状の平面形状を有する板状部材であり、樹脂被覆部４０の上面の全面を覆うように接着されている。第２の補強部５２も、外装体３０の縁辺部３４に沿った枠状の平面形状を有する板状部材であり、樹脂被覆部４０の下面の全面を覆うように接着されている。これにより、樹脂被覆部４０は、第１の補強部５１と、第２の補強部５２とにより、上下から挟まれている。このフレーム材５０を構成する材料は、樹脂被覆部４０を構成する材料よりも硬く（例えば、フレーム材５０を構成する材料のヤング率が、樹脂被覆部４０を構成する材料のヤング率より大きい）、例えば、フレーム材５０を構成する材料として射出成型により製造されたプラスチックなどを用いることができる。本実施形態における「第１の補強部５１」及び「第２の補強部５２」が、本発明における「一対の補強部」の一例に相当する。
【００４２】
なお、フレーム材５０の構成は、上記のものに限定されない。図５は、フレーム材５０の変形例を示す拡大断面図である。この変形例におけるフレーム材５０Ｂは、上述の第１の補強部５１と第２の補強部５２とを接続するとともに、樹脂被覆部４０の側面を覆う接続部５３をさらに備えている。この接続部５３と、第１の補強部５１と、第２の補強部５２と、は一体的に形成されており、コの字（略Ｕ字）の断面形状を有している。接続部５３は、樹脂被覆部４０の側面の全周を覆っている。このように、樹脂被覆部４０の上下面に加えて、さらに当該樹脂被覆部４０の側面をフレーム材５０Ｂで覆うことで、外装体３０の強度をより向上するとともに、表面のタック性をより低減することができる。また、接続部５３と、第１の補強部５１と、第２の補強部５２と、が一体的に形成されていることで、フレーム材５０Ｂの強度がより向上し、外装体３０の強度をより向上させることができる。なお、接続部５３は、正極端子１１４及び負極端子１２４を貫通させるスリットを有している。
【００４３】
以上のとおり、本実施形態の蓄電モジュール１によれば、外装体３０から露出する金属層３１１、３２１の端面及び内側樹脂層３１２、３２２の端面が樹脂被覆部４０により覆われているため、蓄電デバイス１の外部に対する絶縁性を保つことができるうえに、内部への水分の侵入を抑制することができる。その結果、蓄電デバイス１の特性の劣化を抑制することができる。
【００４４】
さらに、一対の補強部５１、５２により外装体３０の強度を高めることで、外装体３０の折れを防ぐことができる。さらに、タック性を有する樹脂被覆部４０の表面を補強部５１、５２により覆うことで、蓄電デバイスを製造する際や蓄電デバイスを製品に組み込む際の作業性を向上させることができる。
【００４５】
次に、本実施形態におけるリチウムイオンキャパシタ１の製造方法の一例について説明する。
【００４６】
まず、図２に示すように、３対の正極部１１、負極部１２及びセパレータ１３を積層した電極積層体１０を製造するとともに、最下段の負極部１２のさらに下に、セパレータ１３を介してリチウム極１４を積層する。次いで、これら電極積層体１０とリチウム極１４とを外装体３０に収容する。次いで、外装体３０の３辺を熱融着し、電極積層体１０に残留した水分を除去するために真空乾燥する。次いで、熱融着していない残りの１辺から電解液２０を注入したのち、この１辺も熱融着する。
【００４７】
このとき、電極積層体１０とリチウム極１４は、注入された電解液２０に浸漬されている。これにより、リチウム極１４から電極積層体１０の負極部１２に対するリチウムイオンの移動経路が確保される。つまり、リチウムイオンキャパシタ１において、リチウムイオンのプレドープが開始される。このように、リチウムイオンキャパシタ１は、負極部１２の電位を低くしてセル電圧を高くするために、負極部１２にリチウムイオンを予め吸蔵させるプレドープ処理が行われる。
【００４８】
次いで、必要に応じて正極部１１と負極部１２を所定の電源等に接続し、エイジングする。エイジング処理が終了したら、外装体３０の１辺を開封し、さらにリチウムイオンキャパシタ１を減圧雰囲気にし、エイジング処理等で発生したガスを除去したのち、開封した１辺を再融着することで、外装体３０の全体を封止する。外装体３０を封止する際には、外装体３０の内側樹脂層３１２、３２２が軟化して外方にはみ出し、はみ出した樹脂によって金属層３１１、３２１の端面が覆われることがある。
【００４９】
更に、封止後の外装体３０の形状やサイズを整えるために、正極端子１１４、負極端子１２４が設けられていない領域の融着部３３をトリミング（切り取り）してもよい。トリミングした場合、封止時にはみ出した内側樹脂層３１２、３２２が取り除かれ、新たな金属層３１１、３２１の端面が露出する。
【００５０】
次いで、樹脂被覆部４０及び一対の補強部５１、５２を形成する。具体的には、まず、外装体３０の縁辺部３４の全周に亘って、ブチルゴムなどの樹脂を融着部３３の端部３３１に塗布する。樹脂を塗布する方法としては、例えば、加温ノズルを用いたビート塗布などの方法を用いることができる。次いで、塗布した樹脂の上下面にフレーム材５０の補強部５１、５２を貼り付ける。
【００５１】
なお、予め、補強部５１、５２に面状樹脂を塗布しておき、塗布した樹脂を介して、補強部５１、５２で融着部３３の端部を挟むことで、樹脂被覆部４０及び一対の補強部５１、５２を形成することもできる。
【００５２】
因みに、図５に示すフレーム材５０Ｂを用いる場合には、フレーム材５０Ｂの補強部５１、５２の内側面と接続部５３の内側面を覆うように樹脂を塗布し、塗布した樹脂を介して、融着部３３の全周とフレーム材５０Ｂの内側とを接着させる。
【００５３】
また、樹脂被覆部４０を形成した後に、当該樹脂被覆部４０全体を加熱することで、特に、樹脂被覆部４０において、内側樹脂層３１２、３２２の端面に対向する部分を加熱することで溶融させてから、固化させるとさらに好ましい。このようにすることで、上部外装部材３１に塗布された上側の樹脂と下部外装部材３２に塗布された下側の樹脂との界面の密封性を向上させることができるとともに、端面３３２と樹脂被覆部４０との密着性を高めることができるため、外装体３０の密封性をより向上させることができる。そのため、蓄電デバイスの特性の劣化をより抑制することができる。なお、樹脂被覆部４０において、内側樹脂層３１２、３２２の端面に対向する部分を局所的に加熱してもよい。
【００５４】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００５５】
１…蓄電デバイス（リチウムイオンキャパシタ）
１０…電極積層体
１１…正極部
１１１…正極層
１１２…正極集電体
１１３…正極リード部
１１４…正極端子
１２…負極部
１２１…負極層
１２２…負極集電体
１２３…負極リード部
１２４…負極端子
１３…セパレータ
１４…リチウム極
１４１…リチウム極集電体
１４２…本体部
１４３…リード部
１４４…リチウム層
２０…電解液
３０…外装体
３１…上部外装部材
３２…下部外装部材
３１１、３２１…金属層
３１２、３２２…内側樹脂層
３１３、３２３…外側樹脂層
３３…融着部
３３１…端部
３３２…端面
３３３…上面
３３４…下面
３４…縁辺部
４０…樹脂被覆部
５０、５０Ｂ…フレーム材
５１…第１の補強部
５２…第２の補強部
５３…接続部
【図１】
2019145709.tif 000003
【図２】
2019145709.tif 000004
【図３】
2019145709.tif 000005
【図４】
2019145709.tif 000006
【図５】
2019145709.tif 000007